(57)【要約】【課題】ドリップチャンバ内で血液（血球、血小板）が凝固することがなく、滞留による血液の凝固、残血もないドリップチャンバを提供すること。【解決手段】略円筒状の中央部材（６）に上部筒体（２）と下部筒体（３）を装着し、前記中央部材（６）は、略側部に血液流入口（７）を形成し、かつ当該血液流入口（７）よりも上部の内壁に、孔（９）を形成した仕切（８）を配置したドリップチャンバ（１）。前記孔（９）は、前記仕切（８）の略中央に形成し、当該仕切（８）の下部は、当該仕切（８）外縁から前記孔（９）に向けて上方向へ傾斜する上傾斜面（８Ｕ）を形成した。【選択図】図１
0003128724.tif 000002
【実用新案登録請求の範囲】
【請求項１】
略円筒状の中央部材（６）に上部筒体（２）と下部筒体（３）を装着し、
前記中央部材（６）は、略側部に血液流入口（７）を形成し、かつ当該血液流入口（７）よりも上部の内壁に、孔（９）を形成した仕切（８）を配置したことを特徴とするドリップチャンバ（１）。
【請求項２】
前記孔（９）は、前記仕切（８）の略中央に形成し、当該仕切（８）の下部は、当該仕切（８）外縁から前記孔（９）に向けて上方向へ傾斜する上傾斜面（８Ｕ）を形成したことを特徴とする請求項１記載のドリップチャンバ（１）。
【請求項３】
前記孔（９）は、前記仕切（８）の略中央に形成し、当該仕切（８）の上部は、当該仕切（８）外縁から前記孔（９）に向けて下方向へ傾斜する下傾斜面（８Ｌ）を形成したことを特徴とする請求項１または請求項２に記載のドリップチャンバ（１）。
【考案の詳細な説明】
【技術分野】
【０００１】
本考案は、血液透析、血液濾過、血漿交換などの血液の体外循環回路の途中に設置して使用されるドリップチャンバの改良に関する。特にヘパリン等の抗凝固剤の使用量を低減し、血液の凝血、残血を皆無ないし最小限に抑えて体外循環を行なうことができるドリップチャンバである。
【背景技術】
【０００２】
出願人は、特許文献１に、上部筒体２と、側部に体液導入口３ａを有するリング３と、内部にフィルタ６と体液導出口５ａを有する下部筒体４とからなり、体液導入口リング３の内側に、下方に延びた点滴芯３ｃを形成したドリップチャンバを開示した。本件考案では、血液はドリップチャンバ本体１０の横方向から確実に底部に向けて導入され、液面レベルが下がっても、抗凝固剤の注入された血液の層をチャンバ本体１０上部に、安定して最上部層として終始維持することができるので、血液が空気と接触する機会を遮断することができる。しかし本件考案では、ヘパリン等の抗凝固剤の使用量を皆無ないし低減することができない。
【０００３】
また特許文献２には、チャンバの上面から血液導入管をチャンバ内に３０ｍｍ以上垂直下方に延伸させた血液回路用チャンバの発明が開示されている。すなわちチャンバの略中間部付近に、血液導入管の開口部を延設し、当該開口部から緩やかに血液を流入させ、チャンバ内で上方から空気層、血漿をわずかに含んだ生理食塩水層、血液層の３層に分離させ、血液層が直接空気層に接触れることがないようにすることができる発明である。本件発明では、血液回収時に血液出口からチャンバー内上方の生理食塩水が最後にでるため凝血、残血の発生が大幅に減少できる。
しかし、血液はチャンバの略中間部から導入され、そのまま下方にゆっくりと血液出口から排出されるので、チャンバ内でほとんど攪拌されない。このため血液の滞留による凝固等が懸念される。
【特許文献１】実用新案登録第２５７４５０７号公報（図１参照）
【特許文献２】特開昭６０−１１９９５９号公報（図５参照）
【考案の開示】
【考案が解決しようとする課題】
【０００４】
本考案者が解決しようとする問題点は、特許文献１では、ヘパリン等の抗凝固剤の使用量を皆無ないし低減することができない点である。特許文献２では、血液は、チャンバ内でほとんど攪拌されないので、血液の滞留による凝固等が懸念される点である。
【課題を解決するための手段】
【０００５】
そこで本考案者は、以上の課題を解決するために鋭意検討を重ねた結果、以下の考案に到達した。
［１］本考案は、略円筒状の中央部材（６）に上部筒体（２）と下部筒体（３）を装着し、
前記中央部材（６）は、略側部に血液流入口（７）を形成し、かつ当該血液流入口（７）よりも上部の内壁に、孔（９）を形成した仕切（８）を配置したドリップチャンバ（１）を提供する。
［２］本考案は、前記孔（９）は、前記仕切（８）の略中央に形成し、当該仕切（８）の下部は、当該仕切（８）外縁から前記孔（９）に向けて上方向へ傾斜する上傾斜面（８Ｕ）を形成した［１］記載のドリップチャンバ（１）を提供する。
［３］本考案は、前記孔（９）は、前記仕切（８）の略中央に形成し、当該仕切（８）の上部は、当該仕切（８）外縁から前記孔（９）に向けて下方向へ傾斜する下傾斜面（８Ｌ）を形成した［１］または［２］に記載のドリップチャンバ（１）を提供する。
【考案の効果】
【０００６】
血液流入口７からドリップチャンバ１内に導入された血液は、仕切８より上に上昇しにくいため、生理食塩水と混合しない。このため最上層に生理食塩水の層を形成でき、血液（血球、血小板）は空気に触れないので、凝固することがない。
ドリップチャンバ１内の血液（血球、血小板）は、空気に直接触れる機会が皆無であり、攪拌も充分にされるので、血液の滞留がなくなり、滞留による血液の凝固、残血がなくなる。
血液は、上部を生理食塩水の層で覆われた状態で、血液流出口１４から流出し、最後に生理食塩水が流出する。このためドリップチャンバ１内の血液（血球、血小板）は、空気に触れず速やかに回収できるので、凝固や残血もない。
【考案を実施するための最良の形態】
【０００７】
［ドリップチャンバ１］
図１は本考案のドリップチャンバ１の概略図、図２は中央部材６の断面図、図３（ａ）は中央部材６のＡ−Ａ´断面図、図３（ｂ）は中央部材６のＢ−Ｂ´断面図、図４は本考案のドリップチャンバ１の使用状態を示す概略図で、（ａ）は生理食塩水充填時、（ｂ）は血液導入時、（ｃ）は血液循環時、（ｄ）は血液回収開始時、図５は図４（ｃ）の一部拡大図である。
本考案のドリップチャンバ１は、略円筒状の中央部材６に上部筒体２と下部筒体３を装着し、前記中央部材６は、略側部に血液流入口７を形成し、かつ当該血液流入口７よりも上部の内壁に、孔９を形成した仕切８を配置している。
【０００８】
［中央部材６］
中央部材６は、図１から図３に例示するように、略円筒状に形成され、略側部に血液流入口７を形成し、かつ内壁に孔９を形成した仕切８を配置している。仕切８は、血液流入口７よりも上部に配置されている。
また中央部材６は、上部と下部を中間部よりも薄肉に形成し、それぞれに上部筒体２と下部筒体３の装着溝６２、６３を形成し、各筒体２、３を装着（係合、嵌合、圧入、挿着、挿入等）している。中間部の略側部に血液流入口７を形成している。
【０００９】
［仕切８］
仕切８は、図１と図２に例示するように、略板状に形成され、略中央に孔９が形成されている。
仕切８は、血液流入口７から中央部材６内に流入した血液が、上部筒体２方向へ必要以上に上昇して、生理食塩水と混合するのを抑制するものである。
仕切８の下部は、仕切８外縁から孔９に向むけて上方向へ傾斜する上傾斜面８Ｕを形成している。上傾斜面８Ｕにより、仕切８より下部の気泡が上部へ上昇しやすくなり、仕切８より下部に位置している血液中の気泡を上部筒体２へ容易に排出することができる。
また仕切８の上部は、仕切８外縁から孔９に向むけて下方向へ傾斜する下傾斜面８Ｌを形成している。下傾斜面８Ｌにより、上部に位置している血液や生理食塩水を中央部材６、下部筒体３へスムーズに排出することができる。
上傾斜面８Ｕと下傾斜面８Ｌの傾斜（角度）は、緩やかに形成するのが好ましく、例えば１０°から２０°が好適である。傾斜（角度）があまり小さい（１０°未満）では、前記の気泡、血液等の排出効果に乏しく、上傾斜面８Ｕでは、あまり大きい（２０°を超える）と血液が孔９を超えて上昇しやすくなるので好ましくない。
仕切８の形態は、図１から図３に例示したものに限定されず、前記本考案の作用効果を奏することができれば、何でも良い。
【００１０】
［血液流入口７］
血液流入口７の開口断面７Ｏは、図２に例示するように中央部材６の湾曲した壁面に沿って湾曲している。これにより血液流入口７から中央部材６内に導入された血液は、中央部材６の内壁面を伝って渦流を形成し、中央部材６内に充填された血液を上部から下部にかけて充分撹拌しつつ血液流出口１４より流出させるので、ドリップチャンバ１内部での血液の滞留がなくなり、滞留による血液の凝固、残血がなくなる。
図２の例示では、血液流入口７は、中央部材６の両側部の辺と実質的に垂直（横方向）に形成されているが、さらに本体内の血液の撹拌効果を高めるために、下方に傾斜させて（中央部材６の両側部の辺と鋭角に）形成してもよい（図示せず）。
【００１１】
［その他の各部材］
次にドリップチャンバ１のその他の各部材について説明する。
上部筒体２には図１に例示するように、上部キャップ４が装着され、当該上部キャップ４の上部には、圧力モニタライン１３と補液ライン１２が装着されている。なお必要に応じてレベル調整ライン（図示せず）、気泡除去ライン（図示せず）を装着しても良い。気泡除去ラインを装着することにより気泡を上部筒体２内から外部に排出することができる。
下部筒体３には、下部キャップ５が装着され、当該下部キャップ５の下部には、血液流出口１４が形成されている。
また下部筒体３または下部キャップ５下部の内周壁には、フィルタ１１が装着（係合、嵌合、圧入、挿着、挿入等）されている。
【００１２】
［ドリップチャンバ１の使用例］
図４と図５により、本考案のドリップチャンバ１の使用方法の一例について、説明する。
［１］生理食塩水のプライミング
図４（ａ）に例示するように、血液流入口７よりドリップチャンバ１内に生理食塩水を充填する。ドリップチャンバ１のほぼ全体に充填するには、ドリップチャンバ１を適宜倒立させながら充填する。
［２］血液の導入
図４（ｂ）に例示するように、血液を血液流入口７からゆっくりと（血液流速；例えば５０から１００ｍｌ／分）、ドリップチャンバ１内に導入する。血液はゆっくりと導入することにより、大部分が仕切８を超えて上昇しない。一部が孔９を経て仕切８より上に上昇するのみである。このように、血液は仕切８により上昇しにくいため、血液の過剰な上昇により生理食塩水と攪拌して混合するがなく、最上部の生理食塩水層を維持することができる。
［３］血液循環時
図４（ｃ）に例示するように、血液循環時（血液流速；例えば２００から３００ｍｌ／分）には、常時、生理食塩水の層が最上層に位置し、その下部に血漿層ができるので、血液中の血球、血小板は空気に直接触れることがない。さらに仕切８より下部に位置する血液中の気泡は、図５に例示するように、仕切８の下傾斜面８Ｌに沿って、孔９を経て、上筒部２の空間内にすみやかに排出される。
血液流入口７から中央部材６内に導入された血液は、中央部材６の内壁面を伝って渦流を形成し、中央部材６内に充填された血液を上部から下部にかけて充分撹拌しつつ血液流出口１４より流出させる。
以上のように、ドリップチャンバ１内の血液（血球、血小板）は、空気に直接触れる機会が皆無であり、攪拌も充分にされるので、血液の滞留がなくなり、滞留による血液の凝固、残血がなくなる。
図４（ｄ）に例示するように圧力モニタライン１３から上部筒体２内に空気を導入し、液面レベルを低下させる。図５に例示するように仕切８より上部の血液、血漿及び生理食塩水は、仕切８の上傾斜面８Ｕに沿って、孔９を経て、下筒部３方向へすみやかに排出される。
血液と血漿は、上部を生理食塩水の層で覆われた状態で、血液流出口１４から流出し、最後に生理食塩水１５が流出する。以上のように、ドリップチャンバ１内の血液（血球、血小板）は、空気に触れず速やかに回収できるので、凝固や残血もない。
【図面の簡単な説明】
【００１３】
【図１】本考案のドリップチャンバ１の概略図
【図２】中央部材の断面図
【図３】図１の中央部材の断面図、（ａ）は中央部材６のＡ−Ａ´断面図、（ｂ）は中央部材６のＢ−Ｂ´断面図
【図４】本考案のドリップチャンバ１の使用状態を示す概略図、（ａ）は生理食塩水充填時、（ｂ）は血液導入時、（ｃ）は血液循環時、（ｄ）は血液回収開始時
【図５】図４（ｃ）の一部拡大図
【符号の説明】
【００１４】
１  ドリップチャンバ
２  上部筒体
３  下部筒体
４  上部キャップ
５  下部キャップ
６  中央部材
７  血液流入口
７Ｏ  開口断面
８  仕切
８Ｕ  上傾斜面
８Ｌ  下傾斜面
９  孔
１１  フィルタ
１２  補液ライン
１３  圧力モニタライン
１４  血液流出口
【図１】
0003128724.tif 000003
【図２】
0003128724.tif 000004
【図３】
0003128724.tif 000005
【図５】
0003128724.tif 000006
【図４】
0003128724.tif 000007